(57)【要約】【課題】バンパカバーにクリアランスセンサが取り付けられた場合でも、バンパカバーの見栄えを確保する。【解決手段】クリアランスセンサ取付構造１０によれば、バンパカバー１２に形成された貫通孔１６の内側には、クリアランスセンサ２０の発受信部３０が配置されているが、このバンパカバー１２の少なくとも貫通孔１６を一部に含む領域の表面には、着色フィルム３８が密着されている。そして、このバンパカバー１２の少なくとも貫通孔１６を一部に含む領域は、バンパカバー１２の表側からこの着色フィルム３８によって被覆されている。従って、クリアランスセンサ２０の発受信部３０を着色フィルム３８によって覆い隠すことができるので、バンパカバー１２の見栄えを確保することができる。【選択図】図２
2011057187.tif 000002
【特許請求の範囲】
【請求項１】
厚さ方向に貫通する貫通孔を有するバンパカバーと、
前記貫通孔の内側に配置されて電波又は超音波を発受信する発受信部を有するクリアランスセンサと、
前記バンパカバーの少なくとも前記貫通孔を一部に含む領域の表面に密着されて該領域を前記バンパカバーの表側から被覆する着色フィルムと、
を備えたクリアランスセンサ取付構造。
【請求項２】
前記発受信部は、前記貫通孔の内側に前記貫通孔の内周面と隙間を有して配置されると共に、振動を伴って電波又は超音波を発受信し、
前記着色フィルムは、前記発受信部と密着された密着部を有している、
請求項１に記載のクリアランスセンサ取付構造。
【請求項３】
前記着色フィルムは、前記貫通孔の内周面と前記発受信部との間に弛みを有している、
請求項２に記載のクリアランスセンサ取付構造。
【請求項４】
前記バンパカバーにおける前記貫通孔の周囲部は、前記貫通孔が前記バンパカバーの表側に向かうに従って縮径するように、前記貫通孔の径方向内側に向かうに従って徐々に薄肉に形成されている、
請求項２又は請求項３に記載のクリアランスセンサ取付構造。
【発明の詳細な説明】
【技術分野】
【０００１】
本発明は、クリアランスセンサ取付構造に関する。
【背景技術】
【０００２】
従来、クリアランスセンサ取付構造としては、特許文献１に記載のものが知られている。すなわち、この特許文献１に記載の例では、バンパカバーに厚さ方向に貫通する貫通孔が形成されており、この貫通孔の内側には、超音波センサモジュールの頭部（発受信部）が配置されている。
【先行技術文献】
【特許文献】
【０００３】
【特許文献１】特許第４０５６５６８号公報
【発明の概要】
【発明が解決しようとする課題】
【０００４】
しかしながら、特許文献１に記載の例では、超音波センサモジュールの頭部が貫通孔を通じてバンパカバーの表側に露出されている。このため、外部から超音波センサモジュールの頭部が視認可能であり、バンパカバーの見栄えが低下する虞がある。
【０００５】
本発明は、上記課題に鑑みてなされたものであって、バンパカバーにクリアランスセンサが取り付けられた場合でも、バンパカバーの見栄えを確保することができるクリアランスセンサ取付構造を提供することを目的とする。
【課題を解決するための手段】
【０００６】
前記課題を解決するために、請求項１に記載のクリアランスセンサ取付構造は、厚さ方向に貫通する貫通孔を有するバンパカバーと、前記貫通孔の内側に配置されて電波又は超音波を発受信する発受信部を有するクリアランスセンサと、前記バンパカバーの少なくとも前記貫通孔を一部に含む領域の表面に密着されて該領域を前記バンパカバーの表側から被覆する着色フィルムと、を備えている。
【０００７】
このクリアランスセンサ取付構造によれば、バンパカバーに形成された貫通孔の内側には、クリアランスセンサの発受信部が配置されているが、このバンパカバーの少なくとも貫通孔を一部に含む領域の表面には、着色フィルムが密着されている。そして、このバンパカバーの少なくとも貫通孔を一部に含む領域は、バンパカバーの表側からこの着色フィルムによって被覆されている。従って、クリアランスセンサの発受信部を着色フィルムによって覆い隠すことができるので、バンパカバーの見栄えを確保することができる。
【０００８】
請求項２に記載のクリアランスセンサ取付構造は、請求項１に記載のクリアランスセンサ取付構造において、前記発受信部が、前記貫通孔の内側に前記貫通孔の内周面と隙間を有して配置されると共に、振動を伴って電波又は超音波を発受信し、前記着色フィルムが、前記発受信部と密着された密着部を有する構成とされている。
【０００９】
仮に、着色フィルムが発受信部と離間されていると、発受信部から発せられた電波又は超音波が着色フィルムにて減衰したり着色フィルムと発受信部との間で干渉したりすることにより、クリアランスセンサの検出性能が低下する虞がある。
【００１０】
この点、このクリアランスセンサ取付構造によれば、着色フィルムは、発受信部と密着された密着部を有しているので、発受信部から発せられた電波又は超音波が着色フィルムにて減衰したり着色フィルムと発受信部との間で干渉したりすることを抑制することができ、クリアランスセンサの検出性能を確保することができる。
【００１１】
請求項３に記載のクリアランスセンサ取付構造は、請求項２に記載のクリアランスセンサ取付構造において、前記着色フィルムが、前記貫通孔の内周面と前記発受信部との間に弛みを有する構成とされている。
【００１２】
このクリアランスセンサ取付構造によれば、着色フィルムにおける貫通孔の内周面と発受信部との間には、弛みが設けられている。従って、これにより、密着部の振動特性（振動し易さ）をチューニングすることができるので、クリアランスセンサの検出性能をより一層確保することができる。
【００１３】
請求項４に記載のクリアランスセンサ取付構造は、請求項２又は請求項３に記載のクリアランスセンサ取付構造において、前記バンパカバーにおける前記貫通孔の周囲部が、前記貫通孔が前記バンパカバーの表側に向かうに従って縮径するように、前記貫通孔の径方向内側に向かうに従って徐々に薄肉に形成された構成とされている。
【００１４】
このクリアランスセンサ取付構造によれば、バンパカバーにおける貫通孔の周囲部は、貫通孔がバンパカバーの表側に向かうに従って縮径するように、貫通孔の径方向内側に向かうに従って徐々に薄肉に形成されている。従って、これにより、密着部の振動特性（振動し易さ）をチューニングすることができるので、クリアランスセンサの検出性能をより一層確保することができる。
【発明の効果】
【００１５】
以上詳述したように、本発明によれば、バンパカバーにクリアランスセンサが取り付けられた場合でも、バンパカバーの見栄えを確保することができる。
【図面の簡単な説明】
【００１６】
【図１】本発明の一実施形態に係るクリアランスセンサ取付構造の分解斜視図である。
【図２】図１の２−２線断面図である。
【図３】本発明の一実施形態に係るクリアランスセンサ取付構造の変形例を示す図である。
【図４】本発明の一実施形態に係るクリアランスセンサ取付構造の変形例を示す図である。
【発明を実施するための形態】
【００１７】
以下、図面を参照しながら、本発明の一実施形態について説明する。
【００１８】
なお、図１において示される矢印ＵＰ、矢印ＦＲ、矢印ＯＵＴは、車両上下方向上側、車両前後方向前側、車両幅方向外側（右側）をそれぞれ示している。
【００１９】
図１，図２に示されるように、本発明の一実施形態に係るクリアランスセンサ取付構造１０は、車両の前側に配置されるバンパカバー１２のコーナー部１４に適用されている。
【００２０】
すなわち、バンパカバー１２のコーナー部１４には、厚さ方向に貫通する貫通孔１６が形成されている。取付部材１８は、クリアランスセンサ２０（モジュールユニット）をバンパカバー１２の裏側からコーナー部１４に取り付けるためのものであり、脚部２２と本体部２４とを有して構成されている。
【００２１】
クリアランスセンサ２０は、例えば、電波式とされており、センサ本体部２６を有して構成されている。センサ本体部２６には、突出部２８が形成されており、この突出部２８の先端側には、振動を伴って電波を発受信する発受信部３０が設けられている。また、センサ本体部２６には、外部装置と電気的に接続されるコネクタ３２が設けられている。
【００２２】
そして、突出部２８を本体部２４に形成された固定穴３４に挿通すると共に、本体部２４に対する一方側に発受信部３０を配置し、本体部２４に対する他方側にセンサ本体部２６を配置した状態で、脚部２２がコーナー部１４の裏面に例えば両面テープ３６により固定されることにより、クリアランスセンサ２０は、バンパカバー１２の裏側からコーナー部１４に取り付けられている。
【００２３】
また、このようにしてクリアランスセンサ２０がコーナー部１４に取り付けられた状態では、発受信部３０が貫通孔１６の内側に貫通孔１６の内周面と隙間を有して配置されており、また、発受信部３０の表面３０Ａは、バンパカバー１２の表面１２Ａと面一状を成している。
【００２４】
また、バンパカバー１２の表面１２Ａの全体には、塗装の代替として、着色フィルム３８が接着により密着されている。そして、これにより、バンパカバー１２の全体は、バンパカバー１２の表側から着色フィルム３８によって被覆されている。また、この着色フィルム３８における発受信部３０が位置する部分は、密着部４０として構成されており、この密着部４０は、発受信部３０に接着により密着されている。
【００２５】
そして、このクリアランスセンサ２０では、発受信部３０が振動されると、この発受信部３０と共に密着部４０が振動されながら、発受信部３０から対象物に向けて電波が発信される。また、対象物で反射した電波が発受信部３０にて受信されて発受信部３０が振動されると、この振動に応じた信号がコネクタ３２から外部に出力される構成とされている。
【００２６】
次に、本発明の一実施形態の作用及び効果について説明する。
【００２７】
このクリアランスセンサ取付構造１０によれば、バンパカバー１２に形成された貫通孔１６の内側には、クリアランスセンサ２０の発受信部３０が配置されているが、この貫通孔１６を含むバンパカバー１２の表面１２Ａの全体には、着色フィルム３８が密着されている。そして、このバンパカバー１２の全体は、バンパカバー１２の表側からこの着色フィルム３８によって被覆されている。従って、クリアランスセンサ２０の発受信部３０を着色フィルム３８によって覆い隠すことができるので、バンパカバー１２の見栄えを確保することができる。
【００２８】
ここで、仮に、着色フィルム３８が発受信部３０と離間されていると、発受信部３０から発せられた電波が着色フィルム３８にて減衰したり着色フィルム３８と発受信部３０との間で干渉したりすることにより、クリアランスセンサ２０の検出性能が低下する虞がある。
【００２９】
この点、このクリアランスセンサ取付構造１０によれば、着色フィルム３８は、その一部が密着部４０として発受信部３０と密着されているので、発受信部３０から発せられた電波が着色フィルム３８にて減衰したり着色フィルム３８と発受信部３０との間で干渉したりすることを抑制することができ、クリアランスセンサ２０の検出性能を確保することができる。
【００３０】
また、着色フィルム３８が発受信部３０と密着されることにより、貫通孔１６の内側において着色フィルム３８に浮き等の変形が生じることを抑制することができるので、バンパカバー１２の見栄えをより一層確保することができる。
【００３１】
次に、本発明の一実施形態の変形例について説明する。
【００３２】
上記実施形態において、着色フィルム３８は、バンパカバー１２の表面１２Ａの全体に接着により密着されていたが、その他の手法、例えば溶着等により密着されていても良い。
【００３３】
また、上記実施形態において、着色フィルム３８は、バンパカバー１２の表面１２Ａの全体に密着されていたが、バンパカバー１２の少なくとも貫通孔１６を一部に含む領域の表面に密着されていれば、バンパカバー１２の表面１２Ａの全体に密着されていなくても良い。
【００３４】
また、上記実施形態において、クリアランスセンサ２０は、発受信部３０から電波を発受信する電波式とされていたが、発受信部３０から超音波を発受信する超音波式とされていても良い。
【００３５】
また、上記実施形態において、クリアランスセンサ取付構造１０は、車両の前側に配置されるバンパカバー１２のコーナー部１４に適用されていたが、車両の後側に配置されるバンパカバーのコーナー部に適用されていても良く、また、車両の前側又は後側に配置されるバンパカバーのコーナー部以外の箇所（例えば、左右のコーナー部の間の箇所）に適用されても良い。
【００３６】
また、上記実施形態において、着色フィルム３８は、図３に示されるように、貫通孔１６の内周面と発受信部３０との間に凹状の弛み４２を有していても良い。このように構成されていると、この弛み４２により、密着部４０の振動特性（振動し易さ）をチューニングすることができるので、クリアランスセンサ２０の検出性能をより一層確保することができる。
【００３７】
なお、このようにフィルムに弛み４２が形成されていると、外部からこの弛み４２が視認可能となるが、発受信部が露出された従来の構成のように貫通孔の内周面と発受信部との間の隙間が環状のマークとして視認可能な構成に対しては、見栄えを確保することができる。逆に、このようにフィルムに弛み４２が形成されることにより、バンパカバー１２にクリアランスセンサ２０が取り付けられていることが外部から認識可能となり、バンパカバー１２の見栄えを確保しつつ高級感（高性能）をアピールすることも可能となる。
【００３８】
また、上記実施形態において、バンパカバー１２における貫通孔１６の周囲部は、図４に示されるように、貫通孔１６がバンパカバー１２の表側に向かうに従って縮径するように、貫通孔１６の径方向内側に向かうに従って徐々に薄肉に形成された除変部４４とされていても良い。このように構成されていても、この除変部４４により、密着部４０の振動特性（振動し易さ）をチューニングすることができるので、クリアランスセンサ２０の検出性能をより一層確保することができる。
【００３９】
また、上記実施形態においては、この弛み４２と除変部４４との両方を有する構成とされていても良い。
【００４０】
以上、本発明の一実施形態及びその変形例について説明したが、本発明は、上記に限定されるものでなく、上記以外にも、その主旨を逸脱しない範囲内において種々変形して実施可能であることは勿論である。
【符号の説明】
【００４１】
１０  クリアランスセンサ取付構造
１２  バンパカバー
１６  貫通孔
２０  クリアランスセンサ
３０  発受信部
３８  着色フィルム
４０  密着部
４２  弛み
４４  除変部
【図１】
2011057187.tif 000003
【図２】
2011057187.tif 000004
【図３】
2011057187.tif 000005
【図４】
2011057187.tif 000006